(57)【特許請求の範囲】
【請求項１】
照明器具を高い位置に設置した照明器具と照明器具取り付け器具の間に、照明器具上下昇降装置を施した照明器具の下に引き下げるための引っ張りコードを設置して引くと、照明器具上下昇降装置内に施した２電極線に幅を取った電気コードが電気コード巻取りリールに設置したゼンマイ式バネが電気コードを巻取り、回転リールに巻き上げていた２電極線に幅を取った電気コードが人の下に引っ張る質量により、下に解けて伸び照明器具を人の高さまで下ろし照明器具上下昇降装置内に施した上下昇降ストップ及び通り抜け機能シーソー形スイッチと電気コード誘導ローラー間を２電極線に幅を取った電気コードが通り、２電極線に幅を取った電器コードの２電極線に幅を取った間に施した中空に、上下昇降ストップ及び通り抜け機能シーソー形スイッチ下部が入り２電極線に幅を取った電気コードを上昇ストップさせて照明器具の交換や蛍光灯及び発光体の交換又は照明器具の清掃ができて、再度元の位置に戻す時に照明器具の下に引っ張りコードを最下部まで引くと、上下昇降装置に施した上下昇降ストップ及び通り抜け機能シーソー形スイッチを２電極線に幅を取った電気コードに施したスイッチ下部を押す突起大ボタンが上下昇降ストップ及び通り抜け機能シーソー形スイッチを押し、２電極線に幅を取った電気コードのストップを解除して照明器具上下昇降装置内に施した、電気コード巻取りリールに設置したゼンマイ式バネが２電極線に幅を取った電気コードを巻き上げ、２電極線に幅を取った電気コードに施したシーソー形スイッチ上部を押す突起小ボタンが上下昇降ストップ及び通り抜け機能シーソー形スイッチ上部を押して、２電極線に幅を取った電気コードの巻き取りを２電極線に幅を取った間に施した中空に入り、２電極線に幅を取った電器コードに幅を取った２電極線間の接続部で巻き取りをストップして元の位置に戻すことを特徴とする、照明器具上下昇降装置である。
【請求項２】
又、照明器具上下昇降装置に施した２電極線に幅を取った電気コードを、２電極線に幅を取った電気コードに施した中空に上下昇降ストップ及び通り抜け機能シーソー形スイッチ下部が入り、２電極線に幅を取った電器コードに２電極線間の接続部に架かり２電極線に幅を取った電気コード上昇のストップを、２電極線に幅を取った電器コードに交互に数段階に施して、上下昇降ストップ及び通り抜け機能シーソー形ストップスイッチが、２電極線に幅を取った電気コードを数段階の高さにストップできることを特徴とする、請求項１の照明器具上下昇降装置である。
【請求項３】
照明器具上下昇降装置を、照明器具の質量及び使用する電気エネルギーよる電極線の本数を照明器具上下昇降装置内に施し、２電極線に幅を取った電気コードの幅を取った間に、２電極線の突起物大小ボタンと中空及び接続部・電器コード巻取り回転リール・電器コード巻取り回転リールに施した、ゼンマイ式バネ及び遠心力ブレーキ・電器コード誘導ローラー・照明器具上下昇降ストップと、通り抜け機能シーソー形スイッチの各１個で組み合わせた装置から、数個で組み合わせた装置にできる形態を特徴とする、請求項１又は２の照明器具上下昇降装置である。
【発明の詳細な説明】
【技術分野】
【０００１】
従来の吊り下げ式、又は固定した高い位置の照明器具や蛍光灯など取替え又は掃除に関するものである。
【背景技術】
【０００２】
従来の天井吊り下げ式、又は固定した高い位置の照明器具や蛍光灯など取替え又は掃除時に器具の届く範囲まで椅子や脚立など施し足場を確保して作業を行っていた。
【０００３】
また、照明吊り下げ具セットなど高さを段々に変更固定セットできるもの及びモーターを照明器具昇降装置に施したものがある。
【０００４】
【特許文献１】特開２００３−３０１８１３
【特許文献２】特開平８−２３５９２９
【発明の開示】
【発明が解決しようとする課題】
【０００５】
従来の天井吊り下げ固定式、又は高さを段々に固定変更させた照明器具の装置や蛍光灯など高い位置で取替え又は清掃時に器具の届く範囲まで椅子や脚立など施し足場を高く確保して作業を行っていた課題を解決するものである。
【０００６】
又、従来の回動機構による照明器具昇降装置では、装置の起動にモーターを使用していた問題を解決するものである。
【課題を解決するための手段】
【０００７】
本発明の目的を達成するために、高い位置に照明器具を取り付けてある器具や蛍光灯及び発光器を取替え及び掃除を行うときに足場具を施さないで作業する人の高さまで下げることで器具や蛍光灯及び発光器を取替え及び掃除作業後に元の高さや使用者の都合のよい高さにする装置機能で解決するものである。
【０００８】
さらに、照明器具上下昇降装置の上下昇降を電気動力に頼らず省エネにすることで解決するものである。
【発明の効果】
【０００９】
本発明の効果については、高い位置に取り付けてある照明器具や蛍光灯及び発光器を取替え及び掃除を行うときに足場具を施さないで作業する人の高さまで下げることで足場具などからの落下転倒怪我を防止することができる。
【００１０】
また、足場具などに乗れない高齢者や高所恐怖症の方においても照明器具や蛍光灯及び発光器を取替え及び掃除を行う作業が簡単にできる。
【００１１】
さらにまた、照明器具上下昇降において電器エネルギーを使用しない省エネで照明器具を上下昇降するものである。
【発明を実施するための最良の形態】
【００１２】
以下、本発明の実施形態を図１〜図１２に基づいて説明をする。
【００１３】
図１においては、吊り下げ天井部に照明器具取り付け器具１と照明器具７の間に照明器具上下昇降装置４を施し照明器具が最上昇した形態である。
【００１４】
図２においては、照明器具７を照明器具上下昇降装置４から２電極線に幅を取った電気コードが伸びた照明器具下降状態で２電極線に幅を取った電気コード１４・１５に接続した照明器具７の照明器具上下昇降引っ張りコード１１の末端摘み器具１２を施し下にひき下降状態１６に施された照明器具の形態である。
【００１５】
図３においては、照明器具上下昇降装置４のボックス内に施す電気コード巻取り器具５・６から２電極線に幅を取った電気コード１４・１５の電気コード誘導ローラー１７・１８を通り上下昇降する２電極線に幅を取った電気コード１４・１５の上下昇降ストップ及び通り抜け機能シーソー形スイッチ１８・１９の照明器具上下昇降装置形態である。
【００１６】
図４においては、照明器具７に接続した２電極線に幅を取った電気コード１４・１５を巻取り上昇した状態の図で照明器具上下昇降装置４内の電器コード巻取り回転リール５・６の電気コード１４・１５を巻き終わる時上下昇降ストップ及び通り抜け機能シーソー形スイッチ１９の上部１９−eを２電極線に幅を取った電気コード１４・１５に幅を取った２電極線の間に施した突起小ボタン１４−ｂが押し照明器具７を最上昇ストップさせた形態である。
【００１７】
図５においては、照明器具上下昇降装置４内の電器コード巻取り回転リール５・６内の２電極線に幅を取った電気コード１４・１５を電気コード巻取り回転リール５・６から出して照明器具４下降状態の図で、最下降した２電極線に幅を取った電気コード１４・１５を上下昇降ストップ及び通り抜け機能シーソー形スイッチ１９の下部を２電極線に幅を取った電気コード５・６に幅を取った２電極線の間に施した突起大ボタン１４−ｆが押し上昇ストップを開放し２電極線に幅を取った電気コード１４・１５を電気コード巻取り回転リール５・６の巻き取りゼンマイ式バネ２１で巻き取り照明器具７を上昇させる形態である。
【００１８】
図６においては、照明器具上下昇降装置４内の２電極線に幅を取った電器コードの上下昇降ストップ及び通り抜け機能シーソー形スイッチ１９の上部を２電極線に幅を取った電気コード１４・１５に幅を取った２電極線の間に施した突起小ボタン１４−ｂが押し照明器具７を最上昇ストップさせた形態の拡大図である。
【００１９】
図７においては、図５照明器具上下昇降装置４内の上下昇降ストップ及び通り抜け機能シーソー形スイッチ１９の下部を２電極線に幅を取った電気コード１４・１５に幅を取った２電極線の間に施した突起大ボタン１４−ｆが押し上昇ストップを開放し２電極線に幅を取った電気コード１４・１５を電気コード巻取り回転リール５・６の巻き取りをゼンマイ式バネ２１で巻き取り照明器具７を上昇させる形態の拡大図である。
【００２０】
図８においては、２電極線に幅を取った電気コード１４・１５の形態や２電極線に幅を取った電気コード１４・１５に幅を取った２電極線の間に施した突起大小ボタン１４−ｂ・１４−ｆや２電極線に幅を取った電器コード１４・１５に幅を取った２電極線間の接続部１４−dの形態の拡大図及び断面図である。
【００２１】
図９においては、上下昇降ストップ及び通り抜け機能スイッチ１９上部を押す電気コード１４・１５に幅を取った２電極線の間に施した突起小ボタン１４−ｂと２電極線に幅を取った電器コード１４・１５に幅を取った２電極線の間に中空１４−ｅ及び電器コードに幅を取った２電極線間の接続部１４−ｄ形態の側面断面図である。
【００２２】
図１０においては、上下昇降ストップ及び通り抜け機能スイッチ１９上部を押す２電極線に幅を取った電気コード１４・１５に幅を取った２電極線の間に施した突起大ボタン１４−ｆと２電極線に幅を取った電気コード１４・１５に幅を取った２電極線の間に施した中空１４−ｅ及び２電極線に幅を取った電気コード１４・１５に幅を取った２電極線の間に施した接続部１４−ｄ形態の側面断面図である。
【００２３】
図１１においては、２電極線に幅を取った電気コード１４・１５の下降状態矢印２４で２電極線に幅を取った電気コード１４・１５に幅を取った２電極線の間に施した突起小ボタン１４−ｂが上下昇降ストップ及び通り抜け機能スイッチ１９の下部１９−ｄを押しても通り抜け機能スイッチ１９が開放状態にならず電極線に幅を取った電気コード１４・１５をストップ位置にもどす状況１→２→３の連続形態図である。
【００２４】
図１２においては、２電極線に幅を取った電気コード１４・１５の下降状態矢印２４で２電極線に幅を取った電気コード１４・１５に幅を取った２電極線の間に施した突起大ボタン１４−ｆが上下昇降ストップ及び通り抜け機能スイッチ１９の下部１９−ｄを押して２電極線に幅を取った電気コード１４・１５を上昇開放して上下昇降ストップ及び通り抜け機能スイッチ１９が開放状態になり２電極線に幅を取った電気コード１４・１５を電気コード巻取り回転リール５・６の巻き取りをゼンマイ式バネ２１で巻き取り最上昇の位置にもどす状況１→２→３の連続形態図である。
【００２５】
図１３においては、照明器具上下昇降装置内を図３の上下断面を表した回転機構の形態図である。
【図面の簡単な説明】
【００２６】
【図１】照明器具に上下昇降装置を施し最上昇位置図
【図２】照明器具に上下昇降装置を施し最下降位置図
【図３】上下昇降装置図
【図４】上下昇降装置の巻き取り器具最上昇位置図
【図５】上下昇降装置の巻き取り器具最下降位置図
【図６】上下昇降装置の巻き取り器具最上昇位置拡大図
【図７】上下昇降装置の巻き取り器具最下降位置拡大図
【図８】電気コード及び電気コードに施した突起大小ボタン平面及び断面図
【図９】電気コード及び電気コードに施した突起小ボタン側面図
【図１０】電気コード及び電気コードに施した突起大ボタン側面図
【図１１】上下昇降装置巻き取り器具の下降作動状況１→２→３の連続形態図
【図１２】上下昇降装置巻き取り器具の上昇作動状況１→２→３の連続形態図
【図１３】照明器具上下昇降装置図３の断面形態図
【符号の説明】
【００２７】
１  天井などの照明器具取り付け器具
２  電気コード
３  吊り下げ器具
４  照明器具上下昇降装置
５  電気コード巻取り回転リール
５−ａ  電気コード巻取り回転リール急速回転防止ブレーキ回転パット
５−ｂ  電気コード巻取り回転リール急速回転防止ブレーキ受け固定パット
５−ｃ  電気コード巻取り回転リール急速回転防止ブレーキ遠心力バネ
６  電気コード巻取り回転リール
７  照明器具
８  照明反射傘
９  蛍光灯及び発光器
１０  照明器具上下昇降機能引っ張りコード
１１  照明の点灯消灯スイッチ器具
１２  照明器具上下昇降機能スイッチ器具の引っ張りコード末端器具
１３  照明の点灯消灯スイッチの引っ張り末端器具
１４  ２電極線に幅を取った電気コード
１４−ａ  照明器具と照明器具上下昇降装置の間クッション
１４−ｂ  電器コードの幅を取った２電極線間の突起小ボタン
１４−ｃ  照明器具上下昇降装置の電器コード通り穴
１４−ｄ  電器コードに幅を取った２電極線間の接続部
１４−ｅ  電器コードに幅を取った２電極線間の中空
１４−ｆ  電器コードの幅を取った２電極線間の突起大ボタン
１４−ｇ  電器コードの伝導ワイヤー
１４−ｈ  電器コードの伝導ワイヤー保護絶縁材
１５  ２電極線に幅を取った電気コード
１６  照明器具下降状態を示す矢印
１７  電気コードの誘導ローラー
１８  電気コードの誘導ローラー
１９  上下昇降ストップ及び通り抜け機能スイッチ
１９−ａ  上下昇降ストップ及び通り抜け機能スイッチの反転軸
１９−ｂ  上下昇降ストップ及び通り抜け機能スイッチの反転させるバネ
１９−ｃ  上下昇降ストップ及び通り抜け機能スイッチの反転ストップ板
１９−ｄ  上下昇降ストップ及び通り抜け機能スイッチ下部
１９−ｅ  上下昇降ストップ及び通り抜け機能スイッチ上部
２０  電気コード巻取り回転リールの電器コード巻取り量
２１  電気コード回転リールの巻取りゼンマイ式バネ
２１−ａ  電気コード回転リールの回転軸
２１−ｂ  電気コード誘導ローラーの回転軸
２２  上下昇降ストップ及び通り抜け機能スイッチ移動を表す矢印
２３  上下昇降ストップ及び通り抜け機能機スイッチ移動を表す矢印
２４  電気コード下降状況を表す矢印
２５  電気コード上昇状況を表す矢印
【図１】
0004620749.tif 000002
【図２】
0004620749.tif 000003
【図３】
0004620749.tif 000004
【図４】
0004620749.tif 000005
【図５】
0004620749.tif 000006
【図６】
0004620749.tif 000007
【図７】
0004620749.tif 000008
【図８】
0004620749.tif 000009
【図９】
0004620749.tif 000010
【図１０】
0004620749.tif 000011
【図１１】
0004620749.tif 000012
【図１２】
0004620749.tif 000013
【図１３】
0004620749.tif 000014